(57)【要約】【解決手段】輸液ポンプ機構１のドア５２が閉じているときに行われる動作中に輸液チューブ機構２を少なくとも部分的に輸液ポンプ機構１から取外そうとして輸液ポンプ機構１のドア５２を開けると、第１の流れ止め機構２１によって輸液チューブ機構２の液路が閉塞される。そして、この状態においては、第１の流れ止め機構２１による輸液チューブ機構２の液路の閉塞が確実に行われる。また、第２の流れ止め機構２２を輸液ポンプ機構１の装着部から取外すときには、第２の流れ止め機構２２が輸液チューブ機構２の液路を閉塞する。【効果】輸液ポンプ機構１のドア５２を開けたときには、第１および第２の流れ止め機構２１、２２の少なくとも一方によって、輸液チューブ機構２の液路を確実に閉塞することができるから、輸液チューブ機構２の液路における輸液用液体のフリーフローを確実に防止することができ、また、第１および第２の流れ止め機構２１、２２の動作が確実で構造も比較的簡単である。【選択図】      図２
2004166901.tif 000002
【特許請求の範囲】
【請求項１】
液路を少なくとも部分的に構成するための輸液チューブを含む輸液チューブ機構と、輸液用液体を上記液路を通して移送するポンプ手段を含む輸液ポンプ機構とを備え、
上記輸液ポンプ機構は、第１及び第２の押圧部が設けられたドアと、上記液路を選択的に閉塞することができる第１の流れ止め機構が配設された機構本体とを備え、
上記輸液チューブ機構は、上記液路を選択的に閉塞することができる第２の流れ止め機構を備え、
上記機構本体は、上記第２の流れ止め機構を着脱可能に装着することができる装着部を備え、
上記ドアを閉じたときに上記第１の押圧部が上記第１の流れ止め機構の第１の被押圧部を押圧することによって、上記第１の流れ止め機構が上記液路の閉塞を解除する動作を行うとともに、上記ドアを開けたときに上記第１の押圧部が上記第１の被押圧部の押圧を解除することによって、上記第１の流れ止め機構が上記液路を閉塞する動作を行うように構成し、
上記第２の流れ止め機構が上記装着部に装着された状態において、上記ドアを閉じたときに上記第２の押圧部が上記第２の流れ止め機構の第２の被押圧部を押圧することによって、上記第２の流れ止め機構が上記液路の閉塞を解除する動作を行うとともに、上記ドアを開けてから上記第２の流れ止め機構の操作部を操作してこの第２の流れ止め機構を上記装着部から取出す操作を行うことによって、上記第２の流れ止め機構が上記液路を閉塞する動作を行うように構成した輸液装置。
【請求項２】
上記輸液チューブ機構は、上記輸液ポンプ機構に着脱可能に取付けることができる被取付け部をさらに備え、
上記輸液ポンプ機構の上記機構本体は、上記被取付け部を差し込んで取付けることができるとともにこの差込み方向とは逆の方向に抜き出して取外すことができる取付け部をさらに備え、
上記第１の流れ止め機構は、上記取付け部と上記装着部との間において上記機構本体に配設され、
上記差込み方向は、上記装着部に装着された上記第２の流れ止め機構側に向う方向である請求項１に記載の輸液装置。
【請求項３】
液路を少なくとも部分的に構成するための輸液チューブを含む輸液チューブ機構と、輸液用液体を上記液路を通して移送するポンプ手段を含む輸液ポンプ機構とを備え、
上記輸液チューブ機構は、上記液路を選択的に閉塞することができる流れ止め機構を備え、
上記輸液ポンプ機構は、上記流れ止め機構を着脱可能に装着することができる装着部を備え、
上記流れ止め機構は、この流れ止め機構が上記装着部に装着されたときにこの流れ止め機構を上記装着部に係止させることができる係止部と、上記流れ止め機構を上記装着部から取り出す操作を行うときに操作される操作部とを備え、
上記操作部を操作して上記流れ止め機構を上記装着部から取り出す操作を行うことによって、上記流れ止め機構が上記液路を閉塞する動作を行うとともに、上記係止部による上記装着部に対する係止が解除されるように構成した輸液装置。
【請求項４】
上記流れ止め機構は、上記装着部に挿入することによりこの装着部に着脱可能に取付け固定されることができるベース部材と、このベース部材に取付けられたスライドクランパとを備え、
上記スライドクランパは、上記ベース部材に対して上記挿入方向とはほぼ直交する方向に往復摺動することができるクランプ部と、上記往復摺動方向とはほぼ直交して延びるように上記クランプ部の一端部に結合されているベース部とを備え、
上記クランプ部は、上記輸液ポンプ機構のドアに設けた押圧部によって押圧される被押圧部をその他端部に備え、
上記ベース部は、上記挿入方向側の端部に設けられた上記係止部と、上記挿入方向とは反対側の端部に設けられた第１の操作片部とを備え、
上記ベース部材は、上記第１の操作片部側とは反対側の側端部に欠如部を形成することによって上記挿入方向とは反対側の端部に設けられた第２の操作片部とを備え、
上記操作部は、上記第１および第２の操作片部によって構成され、
上記被押圧部が上記押圧部によって押圧されたときに、上記スライドクランパが上記往動方向に摺動して上記液路が開放されるとともに上記係止部による上記装着部に対する上記係止が行われるように構成した請求項３に記載の輸液装置。
【発明の詳細な説明】
【０００１】
【発明の属する技術分野】
本発明は、液路を少なくとも部分的に構成するための輸液チューブを含む輸液チューブ機構と、輸液用液体を上記液路を通して移送するポンプ手段を含む輸液ポンプ機構とを備え、上記液路を選択的に閉塞することができる流れ止め機構をさらに備えている輸液装置に関するものである。
【０００２】
【従来の技術】
蠕動ポンプなどのポンプ手段を備えた輸液ポンプ機構によって患者などの被輸液者の静脈内などの体内に薬液などの輸液用液体を投与するようにした医療用輸液装置は、従来からよく知られている。このような従来の医療用輸液装置は、上述のような輸液ポンプ機構と、上記輸液用液体を液体収容ビンから液体注入針まで送り込むために上記輸液ポンプ機構に取付けられる輸液チューブ機構とを備えている。
【０００３】
上述のような医療用輸液装置により患者などの被輸液者に薬液などの輸液用液体を投与している最中に移送チューブ機構を輸液ポンプ機構から取外さなければならない場合がある。このような場合として、輸液用液体の投与中に静脈内注入チューブ（以下、「ＩＶチューブ」という）などの輸液チューブ中に気泡が溜り、この溜った気泡が気泡センサにより検出されて気泡検出ブザーが鳴った場合が考えられる。そして、このように輸液チューブ機構の液路中に気泡が溜まることは、往々にして発生する。
【０００４】
上述のように輸液チューブ機構の液路中に気泡が溜まると、看護士などの輸液装置取扱者は、輸液チューブ機構を少なくとも部分的に輸液ポンプ機構から取外してから輸液チューブを指で叩くことによって、この溜った気泡を輸液チューブから点滴筒まで上方に向って戻してやる必要がある。しかし、このとき、輸液用液体が蠕動ポンプなどのポンプ手段との接触から解放された輸液チューブ内を下方に向ってフリーフローして被輸液者に多量に投与される恐れが生じる。そして、このようなフリーフローによる投与は、輸液用液体の種類によってはその投与自体が危険性があって不都合である。また、それ程危険性がない場合でも、輸液量を正確に把握できない欠点がある。
【０００５】
このような欠点を解消するために、従来から輸液チューブの一部分を押し潰してこの輸液チューブを選択的に閉塞することができる手動用のロールクランパが輸液チューブ機構に設けられている。しかし、輸液装置取扱者が輸液チューブ機構を輸液ポンプ機構から取外すときに手動用ロールクランパを手動操作し忘れることがあるから、輸液チューブは必ずしも閉塞されるとは限らず、したがって、この場合でも大なり小なり上述のような欠点が生じる。
【０００６】
特許第３１３３６４０号公報には、このような欠点を是正するようにした医療用輸液装置（以下、「上記公知の輸液装置」という）が開示されている。上記公知の輸液装置は、輸液ポンプ機構のケースに取付けられたドアを開けて輸液チューブ機構（ひいては、輸液チューブ）を上記輸液ポンプ機構から取外すときに輸液用液体がフリーフローにより意に反して被輸液者に多量に輸液されるのを防止するために、輸液チューブの一部分を押し潰すことによりこの輸液チューブを選択的に閉塞するスライドクランパが輸液チューブ機構に設けられている。そして、このスライドクランパは、上記輸液ポンプ機構に選択的に取付け固定されるベース部材に対して往復摺動可能なように、輸液チューブ機構に設けられている。
また、上記スライドクランパには、被引張り突起が形成され、この被引張り突起の被引張り面には、上記ドアに設けたラッチ機構に関連させた引張りフックが係合している。
【０００７】
したがって、上記ドアを開けるために上記ラッチ機構を操作すると、上記引張りフックが上記スライドクランパの上記被引張り突起を引張るので、上記スライドクランパにより上記輸液チューブの一部分が押し潰されて、この輸液チューブが閉塞される。このために、上記輸液チューブ機構を上記輸液ポンプ機構から取外したときに、輸液用液体が被輸液者に意に反して供給されるフリーフローが防止される。
【０００８】
【発明が解決しようとする課題】
しかし、上記公知の輸液装置の場合には、つぎに記載するような欠点がある。
【０００９】
すなわち、上記引張りフックは、上記ドアに設けた上記ラッチ機構により操作されるように構成されている。したがって、上記スライドクランパに設けた上記被引張り突起に上記引張りフックを常に確実に係合させるようにするためには、上記引張りフックを上記被引張り突起に対して常に正確に位置合せさせるようにする必要がある。しかも、上記引張りフックが上記被引張り突起に確実に係合しているか否かを外部からは確認することができない。
【００１０】
さらに、上記ドアを開けてから上記スライドクランパを上記ベース部材をともなって上記輸液ポンプ機構から取外すときに、上記スライドクランパの上面および下面に親指および人差指を当てがって上記輸液ポンプ機構から取外そうとする輸液装置取扱者の親指が、誤って釈放タブに触れてこの釈放タブを後方に往動させるとともに、上記スライドクランパを誤って後方に押す恐れがある。このために、上記スライドクランパが上記ベース部材に対して相対的に後方に往動する恐れがあるので、上記輸液チューブの一部分の上記押し潰しがこのような誤操作により解除されて、上記輸液チューブが開放される恐れがある。そして、この状態（すなわち、上記ドアが開いた状態）においては、上記輸液チューブは蠕動ポンプによる輸液量制御状態から解放されているので、上述のように輸液チューブが開放されると、輸液用液体が上記輸液チューブ機構の液路を通して被輸液者に意に反して多量に供給されるフリーフローが発生する。
【００１１】
本発明は、上記公知の輸液装置の上述のような欠点を比較的簡単な構成でもって効果的に是正し得るようにしたものである。
【００１２】
【課題を解決するための手段】
本発明は、その１つの観点によれば、液路を少なくとも部分的に構成するための輸液チューブを含む輸液チューブ機構と、輸液用液体を上記液路を通して移送するポンプ手段を含む輸液ポンプ機構とを備え、上記輸液ポンプ機構は、第１及び第２の押圧部が設けられたドアと、上記液路を選択的に閉塞することができる第１の流れ止め機構が配設された機構本体とを備え、上記輸液チューブ機構は、上記液路を選択的に閉塞することができる第２の流れ止め機構を備え、上記機構本体は、上記第２の流れ止め機構を着脱可能に装着することができる装着部を備え、上記ドアを閉じたときに上記第１の押圧部が上記第１の流れ止め機構の第１の被押圧部を押圧することによって、上記第１の流れ止め機構が上記液路の閉塞を解除する動作を行うとともに、上記ドアを開けたときに上記第１の押圧部が上記第１の被押圧部の押圧を解除することによって、上記第１の流れ止め機構が上記液路を閉塞する動作を行うように構成し、上記第２の流れ止め機構が上記装着部に装着された状態において、上記ドアを閉じたときに上記第２の押圧部が上記第２の流れ止め機構の第２の被押圧部を押圧することによって、上記第２の流れ止め機構が上記液路の閉塞を解除する動作を行うとともに、上記ドアを開けてから上記第２の流れ止め機構の操作部を操作してこの第２の流れ止め機構を上記装着部から取出す操作を行うことによって、上記第２の流れ止め機構が上記液路を閉塞する動作を行うように構成した輸液装置に係るものである。この場合、上記輸液チューブ機構は、上記輸液ポンプ機構に着脱可能に取付けることができる被取付け部をさらに備え、上記輸液ポンプ機構の上記機構本体は、上記被取付け部を差し込んで取付けることができるとともにこの差し込み方向とは逆の方向に抜き出して取外すことができる取付け部をさらに備え、上記第１の流れ止め機構は、上記取付け部と上記装着部との間において上記機構本体に配設され、上記差し込み方向は、上記装着部に装着された上記第２の流れ止め機構側に向う方向であるのが好ましい。
【００１３】
また、本発明は、別の１つの観点によれば、液路を少なくとも部分的に構成するための輸液チューブを含む輸液チューブ機構と、輸液用液体を上記液路を通して移送するポンプ手段を含む輸液ポンプ機構とを備え、上記輸液チューブ機構は、上記液路を選択的に閉塞することができる流れ止め機構を備え、上記輸液ポンプ機構は、上記流れ止め機構を着脱可能に装着することができる装着部を備え、上記流れ止め機構は、この流れ止め機構が上記装着部に装着されたときにこの流れ止め機構を上記装着部に係止させることができる係止部と、上記流れ止め機構を上記装着部から取り出す操作を行うときに操作される操作部とを備え、上記操作部を操作して上記流れ止め機構を上記装着部から取り出す操作を行うことによって、上記流れ止め機構が上記液路を閉塞する動作を行うとともに、上記係止部による上記装着部に対する係止が解除されるように構成した輸液装置に係るものである。この場合、上記流れ止め機構は、上記装着部に挿入することによりこの装着部に着脱可能に取付け固定されることができるベース部材と、このベース部材に取付けられたスライドクランパとを備え、上記スライドクランパは、上記ベース部材に対して上記挿入方向とはほぼ直交する方向に往復摺動することができるクランプ部と、上記往復摺動方向とはほぼ直交して延びるように上記クランプ部の一端部に結合されているベース部とを備え、上記クランプ部は、上記輸液ポンプ機構のドアに設けた押圧部によって押圧される被押圧部をその他端部に備え、上記ベース部は、上記挿入方向側の端部に設けられた上記係止部と、上記挿入方向とは反対側の端部に設けられた第１の操作片部とを備え、上記ベース部材は、上記第１の操作片部側とは反対側の側端部に欠如部を形成することによって上記挿入方向とは反対側の端部に設けられた第２の操作片部とを備え、上記操作部は、上記第１および第２の操作片部によって構成され、上記被押圧部が上記押圧部によって押圧されたときに、上記スライドクランパが上記往動方向に摺動して上記液路が開放されるとともに上記係止部による上記装着部に対する上記係止が行われるように構成するのが好ましい。
【００１４】
【発明の実施の形態】
つぎに、本発明を医療用輸液装置に適用した一実施例を「（１）輸液チューブ機構の構成」、「（２）輸液ポンプ機構の構成」および「（３）輸液装置の作用効果」に項分けして図面を参照しつつ説明する。
【００１５】
（１）輸液チューブ機構の構成
図１〜図１０に示す輸液装置は、輸液ポンプ機構１と、この輸液ポンプ機構１に取付けられて用いられるようにＩＶチューブとして構成された輸液チューブ機構２とを備えている。そして、輸液チューブ機構２は、図３、図７および図８に示すように、全体として一列になるように順次間接的に連結されている複数の輸液チューブ３〜７と、これらの輸液チューブ３〜７が全体として一列になるようにこれらの輸液チューブ３〜７を連結している複数の連結部材８〜１１とを備えている。なお、これら複数の連結部材は、具体的には、点滴筒８、被取付け具９、取付け具１０およびチューブ接続具１１から成っている。
【００１６】
図３および図８に示すように、点滴筒８の上端部には輸液チューブ３の下端部が接続されるとともに、下端部には輸液チューブ４の上端部が接続される。そして、チューブ接続具兼用の被取付け具（すなわち、被取付け部）９の上端部には輸液チューブ４の下端部が接続されるとともに、下端部には輸液チューブ５の上端部が接続される。また、チューブ接続具兼用の取付け具（すなわち、取付け部）１０（図８参照）の上端部には輸液チューブ５の下端部が接続されるとともに、下端部には輸液チューブ６の上端部が接続される。なお、図３、図７および図８において、符号１２は、取付け具１０の上端部の外周面に嵌め込まれた輸液チューブ５の下端部が取付け具１０から抜けるのを防止するために輸液チューブ５の下端部の外周面に嵌め込まれた抜け止め用弾性リングである。さらに、チューブ接続具１１の上端部には輸液チューブ６の下端部が接続されるとともに、下端部には輸液チューブ７の上端部が接続される。
【００１７】
図３に示すように、輸液チューブ機構２は、ビン針１３、翼付き針（すなわち、輸液注入針）１４およびそれ自体は公知の一対のロールクランパ１５、１６をさらに備えている。そして、上記ビン針１３は、輸液チューブ３の上端部に取付けられる。なお、このビン針１３は、薬液などの輸液用液体が収容されて上下逆に配置されている液体収容ビン（図示せず）の栓体（図示せず）に下方から差し込まれる。したがって、この液体収容ビン内の輸液用液体は、ビン針１３を通って輸液チューブ３内に流入することができる。また、上記翼付き針１４は、輸液チューブ７の上端部に取付けられる。なお、この翼付き針１４は、患者などの被輸液者の静脈などの身体に差込まれるので、輸液チューブ７内の輸液用液体は、翼付き針１４を通って静脈内などの体内に流入することができる。
【００１８】
輸液チューブ機構２の液路（すなわち、ビン針１３の先端から翼付き針１４の先端までの液路）は、ビン針１３、輸液チューブ３〜７、点滴筒８、被取付け具９、取付け具１０、チューブ接続具１１および翼付き針１４から構成される。したがって、輸液チューブ３〜７は、輸液チューブ機構２の上記液路を部分的に構成する。さらに、輸液チューブ３、６には、一対のロールクランパ１５、１６がそれぞれ取付けられる。したがって、看護士などの輸液装置取扱者がこれらのロールクランパ１５または１６を手動操作することによって、輸液チューブ３または６の一部分がその弾性に抗して押し潰されるので、これらの輸液チューブ３または６は選択的に閉塞することができる。
【００１９】
図１〜図１０に示す輸液装置は、図２および図４に示すように、輸液チューブ機構２の輸液チューブ５、６の一部分をその弾性に抗して押し潰すことによりこれらの輸液チューブ５、６を選択的に閉塞させる第１および第２の流れ止め機構２１、２２を備えている。そして、第１の流れ止め機構２１は、後述のように、輸液ポンプ機構１に設けられている。また、第２の流れ止め機構２２は、以下に述べるように、輸液チューブ機構２に設けられている。
【００２０】
第２の流れ止め機構２２は、ベース部材２３とスライドクランパ２４とから成っている。そして、このベース部材２３は、図３、図７および図８に示すように、輸液チューブ機構２の取付け具１０に取付けられている。なお、ベース部材２３は、左右一対のベース構成ブロック２５、２６から成っている。そして、これらのベース構成ブロック２５、２６は、取付け具１０を左右から挟み込むように互いに接合されて一体的に結合される。なお、この結合は、ベース構成ブロック２６に設けた係合爪２７および係合軸（図示せず）をベース構成ブロック２５に設けた係合孔２８、２９にそれぞれ係合させることによって、達成することができる。また、ベース機構ブロック２５、２６の上面部および中段部分には取付け具１０のための凹み部３０がそれぞれ設けられている。そして、これらの凹み部３０には、取付け具１０がそれぞれ嵌め込まれて支持される。また、ベース構成ブロック２５、２６の下面部には、凹み部３１および開口部３２がそれぞれ設けられている。そして、凹み部３１には輸液チューブ６の径方向における一半部分が嵌め込まれ、この輸液チューブ６の径方向における他半部分は上記開口部３２に収容される。
【００２１】
スライドクランパ２４は、図８〜図１０に示すように、ベース部３５と、このベース部３５からほぼ直交して延びる作動部３６とから成っている。そして、ベース部３５の先端部分には、係止爪（すなわち、係止部）３７が形成されている。また、クランプ部として機能する作動部３６には、図８〜図１０に示すように、チューブ挿入孔３８が形成されている。そして、このチューブ挿入孔３８は、輸液チューブ６の径方向における外形とほぼ同じか多少大きい円形部３９と、押し潰された輸液チューブ６の径方向における外形とほぼ同じか多少大きいスリット部４０と、これらの円形部とスリット部とを連続的に接続している傾斜部４１とから成っている。
【００２２】
ベース部材２３には、図７〜図１０に示すように、スライドクランパ２４の作動部３６が往復摺動可能（換言すれば、往復直線移動可能）に取付けられる。このために、ベース構成ブロック２５、２６には、摺動用の孔部３３、３４がそれぞれ設けられている。そして、スライドクランパ２４がこれらの孔部３３、３４にそれぞれ摺動可能に挿入される。
【００２３】
図９および図１０に示すように、スライドクランパ２４のチューブ挿入孔３８には、輸液チューブ６が挿入される。したがって、輸液チューブ６の上端部を取付け具１０の下端部に接続する場合には、取付け具１０に一対のベース構成ブロック２５、２６を取付けてから、輸液チューブ６の上端部を下方からベース構成ブロック２５、２６の凹み部３１および開口部３２ならびにチューブ挿入孔３８を通して取付け具１０の下端部の開孔に挿入すればよい。この場合、ベース構成ブロック２６には、凹み部３１よりも十分大きい開口部３２が形成されているから、上記挿入を比較的容易に達成することができる。
【００２４】
図７〜図１０に示すように、ベース部材２３の前端部には、欠如部４２を形成することによって段部が形成されている。なお、この欠如部（すなわち、段部）４２は、ベース構成ブロック２５に対してベース構成ブロック２６を前方へ突出させることによって構成されている。そして、この突出部分から成る挾持片部（すなわち、操作片部）２６ａとスライドクランパ２４のベース部３５の前方部分から成る挾持片部（すなわち、操作片部）３５ａとによって、左右一対の挾持部（すなわち、操作部）が形成されている。したがって、スライドクランパ２４が図９に示す復動状態にあるときに、上記挾持部２６ａ、３５ａを親指と人差し指とで両側から摘んで押圧力を加えると、スライドクランパ２４を図１０に示す復動位置へと摺動させることができる。
【００２５】
この場合、挾持部２６ａ、３５ａは、スライドクランパ２４の操作部３６が往復摺動するベース部材２３の摺動用孔部３３、３４よりも前方に突出した状態で設けられている。したがって、挾持部２６ａ、３５ａを挾持するための指は作動部３６よりも前方に位置しているので、これらの指が作動部３６に接触する恐れはない。さらに、スライドクランパ２４の作動部３６の前端部分の前方側には、後述のように被押圧部として機能する傾斜面４３が形成されている。また、ベース構成ブロック２５の側面には、後述のように仮係止孔として機能する凹部４４が形成されている。
【００２６】
（２）輸液ポンプ機構の構成
図１、図２、図４〜図６、図９および図１０に示す輸液ポンプ機構１は、ケース５１とこのケース５１に収納された各種の機構部分とから成る機構本体１７と、このケース５１の前面を選択的に覆うことができる箱蓋形状のドア５２とを備えている。そして、このドア５２は、ヒンジ部５３、５４によって、ケース５１の前側端部に往復回動可能に取付けられている。また、ケース５１の前面には、図２に示すように、前面パネル５５が配設されている。そして、この前面パネル５５の上端附近には、輸液チューブ機構２の被取付具９を取付け固定するための取付け部５６が設けられている。また、この取付け部５６の前面には、被取付け具９を取付け部５６に取付けおよび取外しするときに輸液チューブ５を挿通させるための切欠きスリット６７が形成されている。
【００２７】
図２に示すように、ケース５１には、前面パネル５５の前面に露出するように、それ自体は従来から周知の蠕動ポンプ５７がポンプ手段として配設されている。なお。この蠕動ポンプ５７は、取付け部５６の下方において上下方向に沿って順次配列された複数の作動フィンガ５８を備えている。また、前面パネル５５には、取付け部５６から蠕動ポンプ５７まで、チューブ嵌合用の浅い条溝部５９が設けられている。さらに、前面パネル５５には、蠕動ポンプ５７の側方に隣接して、ドアラッチ用の係止部６０が設けられている。
【００２８】
図２および図４に示すように、ケース５１には、前面パネル５５の前面に露出するように、第１の流れ止め機構２１が配設されている。このために、前面パネル５５には、図５および図６に示すように、蠕動ポンプ５７の下方において凹部６１が設けられている。そして、前面パネル５５には、この凹部６１において、左右一対のクランプ片６２、６３が配設されている。なお、一方のクランプ片６２は、可動側クランプ片として機能するものであって、前面パネル５５に軸６４によって回動可能に取り付けられている。また、他方のクランプ片６３は、固定側クランプ片として機能するものであって、前面パネル５５に固定されている。
そして、可動側クランプ片６２の先端部分の固定側クランプ片６３側には、被押圧部として機能する傾斜面６６が形成されている。また、左右一対のクランプ片６２、６３の基端部間には、弾性付勢手段としての反撥用コイルスプリング６５が介装されている。したがって、可動側クランプ片６２は、軸６４を支点として図５の反時計方向（換言すれば、傾斜面６６が固定側クランプ片６３に近づく方向）に弾性的に付勢されている。
【００２９】
図２および図４に示すように、ケース５１には、第１の流れ止め機構２１の下方において、第２の流れ止め機構２２が配設されている。このために、図９および図１０に示すように、前面パネル５５には、凹部６１の下方において、第２の流れ止め機構２２の装着部として機能する凹部７１が設けられている。そして、第２の流れ止め機構２２のベース部材２３およびスライドクランパ２４がこの凹部７１に挿入されて装着される。なお、図９に示すように、この凹部７１は、第２の流れ止め機構２２（すなわち、ベース部材２３およびスライドクランパ２４）を挾持部２６ａ、３５ａを除いてほぼ全体が収容される奥行きおよび高さを有しかつ左右方向においては第２の流れ止め機構２２（スライドクランパ２４が往動した図９に示す状態）に対して多少の遊びを有している。したがって、第２の流れ止め機構２２は、その挾持部２６ａ、３５ａとこの挾持部２６ａ、３５ａに隣接した部分とのみが、凹部７１から前方（すなわち、ベース部材２３およびスライドクランパ２４の凹部７１への挿入方向とは逆の方向）に突出している。また、前面パネル５５の後面には、凹部７１に対向するように、光センサ７２が配設されている。そして、この光センサ７２によって凹部７１への第２の流れ止め機構２２の装着が検出される。
【００３０】
図９および図１０に示すように、前面パネル５５には、仮止め用の突起体７３がベース部材２３に対向するように配設されている。そして、この仮止め用突起体７３は、弾性付勢手段としての反撥用コイルスプリング７４によって、凹部７１側に向って弾性的に付勢される。したがって、仮止め用突起体７３は、ベース部材２３の凹部４４に嵌合してベース部材２３を仮固定することができる。また、前面パネル５５には、凹部７１において、係止用突起部（すなわち、装着部７１側の係止部）７５が設けられている。そして、この係止用突起部７５には、スライドクランパ２４の係止爪（すなわち、スライドクランパ２４側の係止部）３７が選択的に係止される。
【００３１】
図２および図４に示すように、凹部７１の下方には、発光素子と受光素子とから成る気泡センサ７６が配設されている。そして、この気泡センサ７６によって、輸液チューブ６内の気泡の存在を検出することができる。また、気泡センサ７６の上記検出によって、気泡検出ブザー（図示せず）を鳴らすようにすることができる。なお、気泡センサ７６は、図４に示すように、上記配設位置に代えて第１の流れ止め機構２１と第２の流れ止め機構２２との間に配設することもできる。そして、この場合には、気泡センサ７６によって、輸液チューブ５内の気泡の存在を検出することができるので、第２の流れ止め機構２２によって輸液チューブ６が閉塞された状態でも、この検出された気泡を上方に向って戻してやることができる。さらに、蠕動ポンプ５７から凹部７１までの間と、凹部７１から前面パネル５５の下端までの間とにそれぞれチューブ嵌合用の浅い条溝７７を設けることができる。
【００３２】
図１に示すように、ドア５２の前面には、輸液装置に必要な従来から周知の各種の表示部７８および各種の操作部７９が設けられている。また、ドア５２には、ラッチ機構のためのラッチレバー８０が設けられている。そして、このラッチレバー８０は既述のドアラッチ用係止部６０に選択的に係止されるようになっている。また、ケース５１の上面には、輸液ポンプ機構１を持ち運ぶのに用いられる把手８１が配設されている。
【００３３】
図２に示すように、箱蓋形状のドア５２の後面には、被取付け具９の逃げのための切り込み８２と、取付け部５６の逃げのための凹部８３と、クランプ片６２、６３の逃げのための凹部８４と、ベース部材２３およびスライドクランパ２４の逃げのための凹部８５と、気泡センサ７６の逃げのための凹部８６とが設けられている。また、凹部８４には、図５に示すように、ドア５２を閉じるときに可動側クランプ片６２の傾斜面６６を押圧するための押圧部として機能する突出部８７が設けられている。また、ドア５２の後面には、凹部８５に隣接して突出部８８が設けられている。そして、この突出部８８は、図１０に示すように、ドア５２を閉じるときにスライドクランパ２４の傾斜面４３を押圧するための押圧部として機能する。さらに、箱蓋形状のドア５２の下端部には、輸液チューブ６の逃げのための切込み８９が設けられている。
【００３４】
ドア５２の後面には、蠕動ポンプ５７に対向するように、押え板９０が配設されている。そして、この押え板９０は、ドア５２を閉めたときに輸液チューブ５を蠕動ポンプ５７に軽く押し付ける機能を有している。なお、図２に示す符号９１は、ドア５２を開けたときに前面パネル５５附近を照明するランプである。
【００３５】
（３）輸液装置の作用効果
図１〜図１０に示す輸液装置を用いて被輸液者に輸液を行う場合には、まず、輸液装置取扱者はつぎの（ａ）項〜（ｄ）項に記載の準備操作を行えばよい。
（ａ）まず、ラッチレバー８０を操作して輸液ポンプ機構１のドア５２のラッチを解除してから、このドア５２を開ける。
（ｂ）ついで、輸液チューブ機構２の被取付け具９を輸液ポンプ機構１の取付け部５６に上方から差し込んで取付け固定する。
（ｃ）ついで、輸液チューブ機構２の輸液チューブ５を蠕動ポンプ５７の前面および左右一対のクランプ片６２、６３の先端部前面にそれぞれ添わせるとともに、輸液チューブ機構２のベース部材２３とスライドクランパ２４とのセットを輸液ポンプ機構１の凹部７１に図１０に示すように装着し、さらに、輸液チューブ６を気泡センサ７６に挟み込む。このとき、輸液ポンプ機構１の仮止め用突起体７３は、ベース部材２３のベース構成ブロック２５の凹部４４に嵌合して、ベース部材２３を仮止めする。また、ベース部材２３が凹部７１に装着されたことを光センサ７２が検出するので、蠕動ポンプ５７が始動可能な状態になる。
（ｄ）ついで、輸液ポンプ機構１のドア５２を閉じてから、ラッチレバー８０を操作してドア５２をラッチする。このとき、ドア５２の突出部８７がドア５２と一体となってヒンジ部５３、５４を支点として往回動しながら輸液チューブ５を介して可動側クランプ片６２の傾斜面６６を押圧するので、この可動側クランプ片６２は、コイルスプリング６５の付勢力に逆らって軸６４を支点として図５に示す状態から図６に示す状態へと図５の時計方向に往回動する。このために、一対のクランプ片６２、６３の先端部前面に添って位置していた輸液チューブ５（換言すれば、輸液チューブ機構２の液路）は、図６に示すように開放状態のままで一対のクランプ片６２、６３の間に移動する。これと同時に、ドア５２の突出部８８がドア５２と一体となってヒンジ部５３、５４を支点として図１０の矢印Ｘの方向に往回動しながらスライドクランパ２４の傾斜面４３を押圧するので、このスライドクランパ２４は、ベース部材２３に対して側方（図１０における左方から右方）に摺動して、図１０に示す状態から図９に示す状態へと横方向に直線的に往動する。そして、スライドクランパ２４の係止爪３７が前面パネル５５の係止用突起部７５に係止されるので、スライドクランパ２４（ひいては、ベース部材２３）の前方への抜け止めが施される。したがって、図１０に示すようにスライドクランパ２４のチューブ挿入孔３８のスリット部４０に位置していた輸液チューブ６は、チューブ挿入孔３８の傾斜部４１を経て円形部３９に相対的に往動するので、スリット部４０の両側縁により挾着されて押し潰されていた閉塞状態から開放状態になる。
【００３６】
上述の（ａ）項〜（ｄ）項に記載した準備操作が終了すると、輸液チューブ５、６は開放状態になるので、輸液装置に従来から周知のようにして輸液動作を行わせることができる。
【００３７】
上述の輸液動作を行っている途中などでこの輸液動作を停止させて輸液ポンプ機構１から輸液チューブ５、６を少なくとも部分的に取外したいときには、つぎの（ｅ）項〜（ｈ）項に記載の取外し操作を行えばよい。
（ｅ）まず、前記（ａ）項に記載のように、ラッチレバー８０を操作してドア５２のラッチを解除してから、このドア５２を開ける。このとき、ドア５２の突出部８７が図６に示す状態から図５に示す状態を経て可動側クランプ片６２からさらに遠ざかるので、左右一対のクランプ片６２、６３は、輸液チューブ５を図５に示すようにを再び閉塞させる。また、ドア５２の突出部８８が図９に示す状態から図１０の矢印Ｘの方向とは逆の方向に復回動してスライドクランパ２４から遠ざかるので、スライドクランパ２４は、図９に示す位置から図１０に示す位置へと移動可能な状態になる。
（ｆ）ついで、輸液装置取扱者がベース部材２３の挾持片部２６ａとスライドクランパ２４の挾持片部３５ａとを親指と人差指との間に挾持して、両者が互いに近づくように押圧するとともにベース部材２３およびスライドクランパ２４を凹部７１から外部に引っぱり出す。このとき、スライドクランパ２４がベース部材２３に対して摺動して図１０の右方から左方へと復動するので、輸液チューブ６は、前記（ｄ）項に記載の場合とは逆に、開放状態から閉塞状態になる。
（ｇ）ついで、前記（ｃ）項に記載の場合とは逆に、輸液チューブ５、６を左右一対のクランプ片６２、６３の間などから取り外す。
（ｈ）ついで、前記（ｂ）項に記載の場合とは逆に、被取付け具９を取付け部５６から上方に引き抜いて取り外す。なお、ベース部材２３およびスライドクランパ２４が凹部７１に装着されているときには、上述のような被取付け具９の上方に引き抜いての取外しは、輸液チューブ５が存在するために、被取付け具９を強い力で上方に引っ張って輸液チューブ５をかなり引き伸ばしてからでないと行えない。しかし、この場合には、ベース部材２３およびスライドクランパ２４が凹部７１からすでに取外されているので、上述のような被取付け具９の上方に引き抜いての取外しを容易に行うことができる。
【００３８】
上述の（ｅ）項〜（ｈ）項に記載した取外し操作が終了すると、輸液チューブ機構２は輸液ポンプ機構１から取外されるので、必要に応じて、〔従来の技術〕の項で説明したようにして輸液チューブ４〜７内の気泡を点滴筒８に戻してやればよい。また、輸液チューブ機構２を輸液ポンプ機構１に再び取付けたいときには、前記（ｂ）項〜（ｄ）に記載した準備操作を再び行えばよい。
【００３９】
上述のとおりであるから、図１〜図１０に示す輸液装置は、つぎの（ア）項〜（ハ）項に記載の効果を奏する。
（ア）ドア５２が閉じているときに行われる輸液動作中に輸液動作を停止させて輸液チューブ５、６を輸液ポンプ機構１から取外すためにドア５２を開けると、第１の流止め機構２１によって輸液チューブ５が閉塞される。そして、この状態においては、被取付け具９が輸液チューブ５によって第２の流れ止め機構２２と連結されているので、被取付け具９を第２の流れ止め機構２２から遠ざかる方向に引っ張って取付け部５６から取外すには、被取付け具９を強い力で上方に引っ張って輸液チューブ５をかなり引き伸ばしてからでないと行えず、このために、第１の流れ止め機構２１による輸液チューブ５の閉塞が確実に行われる。また、第２の流れ止め機構２２を構成するベース部材２３およびスライドクランパ２４を装着部としての凹部７１から取外すときには、第２の流れ止め機構２２が輸液チューブ６を閉塞する。したがって、ドア５２を開けたときには、第１および第２の流れ止め機構２１、２２の少なくとも一方によって輸液チューブ５、６の少なくとも一方を確実に閉塞することができるから、輸液チューブ機構の液路における輸液用液体のフリーフローを確実に防止することができる。
（イ）ドア５２が閉じられるときには、このドア５２に設けた突出部（押圧部）８７、８８により第１および第２の流れ止め機構２１、２２の傾斜面（被押圧部）６６、４３が押圧されて可動側クランプ片６２およびスライドクランパ２４を往動させるとともに、ドア５２が開かれるときには、反撥用コイルスプリング６５の弾性付勢力によって可動側クランプ片６２が復動されるようにした。したがって、第１および第２の流れ止め機構２１、２２の動作が確実で構造も比較的簡単である。
（ハ）スライドクランパ２４をベース部材２３に対してこれら両方の取出し方向とはほぼ直交する方向に復動させてからしか、ベース部材２３およびスライドクランパ２４を凹部７１から外部に取出すことができない。しかも、スライドクランパ２４の傾斜面（押圧部）４３側の側端部付近には、輸液装置取扱者の指を入れる空間がほとんどない。したがって、ベース部材２３およびスライドクランパ２４を凹部７１から外部に取出すときに、輸液チューブ６を閉塞しているスライドクランパ２４を誤動作により往動させて輸液チューブ６を開放状態にする恐れがないから、輸液チューブ機構２の液路における輸液用液体のフリーフローを一層確実に防止することができる。
【００４０】
以上において、本発明の一実施例について詳細に説明したが、本発明は、この実施例に限定されるものではなく、特許請求の範囲に記載された発明の趣旨に基づいて各種の変更および修正が可能である。
【００４１】
例えば、上述の実施例においては、輸液ポンプ機構１のポンプ手段として輸液ポンプ５７を用いたが、輸液用液体に輸液チューブ機構２の液路を移送させる機能を有する他の各種のポンプをこの蠕動ポンプ５７に代えて用いることができる。
【００４２】
また、上述の実施例においては、左右一対のクランプ片のうちの一方のみを可動側としたが、両方のクランプ片を可動側としてもよい。
【００４３】
また、上述の実施例においては、クランパ２４は、ベース部材２３に対して往復摺動するように構成されているが、摺動以外の方法でベース部材２３に対して往復移動するように構成されていてもよい。
【００４４】
さらに、上述の実施例においては、本発明を医療用輸液装置に適用したが、医療用以外の精密工学用、その他の用途のものにも同様に適用することができる。
【００４５】
【発明の効果】
請求項１および２の発明によれば、輸液ポンプ機構のドアが閉じているときに行われる輸液動作中に輸液動作を停止させて輸液チューブ機構を少なくとも部分的に輸液ポンプ機構から取外すために輸液ポンプ機構のドアを開けると、第１の流止め機構によって輸液チューブ機構の液路が閉塞される。そして、この状態においては、第１の流れ止め機構による輸液チューブ機構の液路の閉塞が確実に行われる。また、第２の流れ止め機構を輸液ポンプ機構の装着部から取外すときには、第２の流れ止め機構が輸液チューブ機構の液路を閉塞する。したがって、ドアを開けたときには、第１および第２の流れ止め機構の少なくとも一方によって、輸液チューブ機構の液路を確実に閉塞することができるから、輸液チューブ機構の液路における輸液用液体のフリーフローを確実に防止することができる。
【００４６】
また、請求項１および２の発明によれば、ドアを閉じられるときには、このドアに設けた第１および第２の押圧部により第１および第２の流れ止め機構の第１および第２の被押圧部が押圧されて第１および第２の流れ止め機構による輸液チューブ機構の液路の閉塞が解除されるとともに、ドアが開かれるときには、第１の流れ止め機構により上記液路が閉塞されるようにした。したがって、第１および第２の流れ止め機構の動作が確実で構造も比較的簡単である。
【００４７】
また、請求項２の発明によれば、輸液チューブ機構の被取付け部が第２の流れ止め機構と連結されているので、この被取付け部を第２の流れ止め機構から遠ざかる方向に引っ張って輸液ポンプ機構の取付け部から取外すことは容易には行えず、このために、第１の流れ止め機構による輸液チューブの閉塞が確実に行われる。したがって、輸液ポンプ機構のドアを開けたときでも、第２の流れ止め機構を輸液ポンプ機構の装着部から取出すまでは、第１の流れ止め機構によって輸液チューブ機構の液路を確実に閉塞することができる。
【００４８】
さらに、請求項３および４の発明によれば、流れ止め機構の操作部を操作してこの流れ止め機構を輸液ポンプ機構の装着部から取出す操作を行うことによって、流れ止め機構が輸液チューブ機構の液路を閉塞するとともに、流れ止め機構の係止部による上記装着部に対する係止を解除したときしか、流れ止め機構を輸液ポンプ機構の装着部から取出すことができない。したがって、流れ止め機構を上記装着部から取出すときに、輸液チューブ機構の液路を閉塞している流れ止め機構が誤動作されて輸液チューブ機構の液路が開放状態になる恐れがないから、輸液チューブ機構の液路における輸液用液体のフリーフローを確実に防止することができる。
【００４９】
また、請求項４の発明によれば、スライドクランパをベース部材に対してこれら両方の取出し方向とはほぼ直交する方向に復動させたときしか、ベース部材およびスライドクランパを輸液ポンプ機構の装着部から取出すことができない。したがって、ベース部材およびスライドクランパを上記装着部から取出すときに、輸液チューブ機構の液路を閉塞しているスライドクランパを誤動作により往動させて輸液チューブ機構の液路を開放状態にする恐れがないから、輸液チューブ機構の液路における輸液用液体のフリーフローをさらに確実に防止することができる。
【図面の簡単な説明】
【図１】本発明を医療用輸液装置に適用した一実施例における輸液ポンプ機構の、輸液動作状態における斜視図である。
【図２】図１に示す輸液ポンプ機構の、ドアを開いた状態における斜視図である。
【図３】図２に示す輸液ポンプ機構に用いられる輸液チューブ機構の、部分的に切欠した状態における斜視図である。
【図４】図２に示す輸液ポンプ機構の第１および第２の流れ止め機構附近の斜視図である。
【図５】図４に示す第１の流れ止め機構の、ドアを少し開いた状態における図４のＡ−Ａ線に沿った断面図である。
【図６】図４に示す第１の流れ止め機構の、ドアを閉じた状態における図４のＡ−Ａ線に沿った断面図である。
【図７】図４に示す第２の流れ止め機構の、スライドクランパの往動状態における斜視図である。
【図８】図７に示す第２の流れ止め機構の分解斜視図である。
【図９】図７に示す第２の流れ止め機構の、ドアを閉じた状態における図４のＢ−Ｂ線に沿った断面図である。
【図１０】図７に示す第２の流れ止め機構の、スライドクランパを復動させかつドアを開いた状態における図４のＢ−Ｂ線に沿った断面図である。
【符号の説明】
１  輸液ポンプ機構
２  輸液チューブ機構
３  輸液チューブ
４  輸液チューブ
５  輸液チューブ
６  輸液チューブ
７  輸液チューブ
９  被取付け具（被取付け部）
１７  機構本体
２１  第１の流れ止め機構
２２  第２の流れ止め機構
２３  ベース部材
２４  スライドクランパ
２６ａ  挾持片部（第２の操作片部）
３５  ベース部
３５ａ  挾持片部（第１の操作片部）
３６  作動部（クランプ部）
３７  係止爪（係止部）
４２  段部（欠如部）
４３  傾斜面（第２の被押圧部）
５２  ドア
５６  取付け部
５７  蠕動ポンプ（ポンプ手段）
６６  傾斜面（第１の被押圧面）
７１  凹部（装着部）
８７  突出部（第１の押圧部）
８８  突出部（第２の押圧部）
【図１】
2004166901.tif 000003
【図２】
2004166901.tif 000004
【図３】
2004166901.tif 000005
【図４】
2004166901.tif 000006
【図５】
2004166901.tif 000007
【図６】
2004166901.tif 000008
【図７】
2004166901.tif 000009
【図８】
2004166901.tif 000010
【図９】
2004166901.tif 000011
【図１０】
2004166901.tif 000012